(57)【要約】【課題】長く使用してもその形態を維持できしかもたわし本来の機能を維持し、使用後の洗浄も容易である使い勝手の優れた安価な金属線たわし及びその製造方法を提供する。【解決手段】本発明の金属線たわしは、カールされた金属線を円筒状に巻回して構成した中空円筒状金属線巻体の両端を合わせて円環状に構成した本体と、一端が本体の中心孔に挿入され他端が本体の少なくとも頂部を覆うように構成した中空円筒状網体とを有し、本体の中心孔に挿入された中空円筒状網体の一端を撓み性支持線状部材で中空円筒状金属線巻体と共に緊締し、本体の上部表面上で中空円筒状網体の周囲から別の撓み性支持線状部材で締付けて構成される。【選択図】　　図１４
2004000539.tif 000002
【特許請求の範囲】
【請求項１】
カールされた金属線を円筒状に巻回して構成した中空円筒状金属線巻体の中央孔に撓み性支持線状部材を通してその両端を互いに締め合わせることにより玉状に束ねて成ることを特徴とする金属線たわし。
【請求項２】
撓み性支持線状部材に装飾部材を取付けたことを特徴とする請求項１に記載の金属線たわし。
【請求項３】
撓み性支持線状部材に掛け止め部材を取付けたことを特徴とする請求項１に記載の金属線たわし。
【請求項４】
カールされた金属線を円筒状に巻回して構成した中空円筒状金属線巻体と、一端が二股になった嵌合係止部を備えた柄部材とを有し、柄部材の一端のそれぞれの嵌合係止部を中空円筒状金属線巻体の中央孔の両端から挿入して中空円筒状金属線巻体を柄部材の一端のそれぞれの嵌合係止部に固定したことを特徴とする金属線たわし。
【請求項５】
柄部材の一端の二股になった嵌合係止部に、中空円筒状金属線巻体を結束するための線状部材を組み込み、線状部材により中空円筒状金属線巻体をそれの中央孔を介して柄部材の一端の嵌合係止部に固定したことを特徴とする請求項４に記載の金属線たわし。
【請求項６】
柄部材の一端の二股になった嵌合係止部がその先端に、相互に係合する係合部材を備え、中空円筒状金属線巻体の中央孔内で嵌合係止部の先端の係合部材を互いに係合させることにより中空円筒状金属線巻体をそれの中央孔を介して柄部材の一端の嵌合係止部に固定したことを特徴とする請求項４に記載の金属線たわし。
【請求項７】
カールされた金属線を円筒状に巻回して構成した中空円筒状金属線巻体と、周囲に中空円筒状金属線巻体が縦長に装着される嵌合係止部を一端に備えた柄部材と、柄部材の一端の嵌合係止部の周囲に装着した中空円筒状金属線巻体を長手方向に沿って固定する固定部材とを有することを特徴とする金属線たわし。
【請求項８】
固定部材が金属又はプラスチック線状体を備えていることを特徴とする請求項７に記載の金属線たわし。
【請求項９】
固定部材が柄部材の嵌合係止部と一体に構成されていることを特徴とする請求項７に記載の金属線たわし。
【請求項１０】
カールされた金属線を円筒状に巻回して構成した中空円筒状金属線巻体の両端を合わせて円環状に構成した本体と、一端が本体の中心孔に挿入され他端が本体の少なくとも頂部を覆うように構成した中空円筒状網体とを有し、本体の中心孔に挿入された中空円筒状網体の一端を撓み性支持線状部材で中空円筒状金属線巻体と共に緊締し、本体の上部表面上で中空円筒状網体の周囲から別の撓み性支持線状部材で締付けて成ることを特徴とする金属線たわし。
【請求項１１】
中空円筒状網体の一端と中空円筒状金属線巻体とを緊締する撓み性支持線状部材で掛け止め部材を本体に取付けたことを特徴とする請求項１０に記載の金属線たわし。
【請求項１２】
中空円筒状網体の一端と中空円筒状金属線巻体とを緊締する撓み性支持線状部材に装飾部材を取付けたことを特徴とする請求項１１に記載の金属線たわし。
【請求項１３】
掛け止め部材が装飾部材を構成していることを特徴とする請求項１０〜１２のいずれか一項に記載の金属線たわし。
【請求項１４】
掛け止め部材に装飾部材を取付けたことを特徴とする請求項１１に記載の金属線たわし。
【請求項１５】
掛け止め部材が少なくとも一本の紐から成っていることを特徴とする請求項１０に記載の金属線たわし。
【請求項１６】
カールされた金属線を円筒状に巻回して所定の長さの中空円筒状金属線巻体を形成し、この中空円筒状金属線巻体の中央孔に撓み性支持線状部材を通し、撓み性支持線状部材の両端を互いに締め合わせることにより中空円筒状金属線巻体を玉状に束ねることから成ることを特徴とする金属線たわしの製造法。
【請求項１７】
カールされた金属線を円筒状に巻回して所定の長さの中空円筒状金属線巻体を形成し、この中空円筒状金属線巻体の中央孔に撓み性支持線状部材を通し、中空円筒状金属線巻体の両端を合わせて円環状に構成し、円環状に構成した金属線巻体の中心孔に中空円筒状網体の一端を挿入し、
撓み性支持線状部材の両端を互いに締め合わせることにより中空円筒状金属線巻体を玉状に束ね、中空円筒状網体の他端を円環状に構成した金属線巻体の少なくとも頂部を覆って金属線巻体の表面に沿ってのばし、金属線巻体の上部表面上で中空円筒状網体の周囲から別の撓み性支持線状部材で締付けることから成ることを特徴とする金属線たわしの製造法。
【発明の詳細な説明】
【０００１】
【発明の属する技術分野】
本発明は、物体、特に鍋釜、食器、台所用品、食器乾燥機のような家庭用品、排水口、車、サッシ及びガーデニング用具等を洗浄する際に使用される金属線たわし及びその製造方法に関するものである。
【０００２】
【従来の技術】
従来、カールされた金属線を偏平玉状に巻回して構成した偏平玉状金属線巻体から成る金属線たわしは、スポンジ、繊維製汚れ落としや所謂たわしと共に、鍋釜や食器、台所用品の汚れを落とすのに広く使用されている。　従来提案されている金属線たわしは、一般に圧延カールしたステンレス鋼や銅、亜鉛、スズなどの金属線をボビンに一定量巻回した後、ボビンから取り外して切断して製造されており、出来上った金属線たわしは互いに巻回された金属線が絡み合ってその形状を維持している。このように圧延、カールした金属線を単に巻回して構成しただけであるため、使用している間に徐々にほぐれてばらけてしまい、使用時に使い難くなるだけでなく汚れも落とし難くなり、素材自体の丈夫さに反して比較的短い期間で所期の特性が実質的に失われ手しまっていた。
【０００３】
このような欠点を解決するため、本発明者は先に特許文献１において、カールされた金属線を偏平玉状に巻回して構成した偏平玉状金属線巻体から成る金属線たわしにおいて、偏平玉状金属線巻体のほぼ中心部に、偏平玉状金属線巻体の形態保持用の金属線又は被覆金属線から成る線状部材を通す貫通孔を備えた円筒状支持部材を嵌入し、偏平玉状金属線巻体のほぼ中心部に嵌入した円筒状支持部材の貫通孔から偏平玉状金属線巻体の円周上ほぼ等間隔に放射状に偏平玉状金属線巻体の外面に沿って延びされて偏平玉状金属線巻体を束ね、円筒状支持部材と円筒状支持部材の貫通孔に嵌合した装飾部材とで固定して成る金属線たわしを提案した。
【０００４】
また、カールされた金属線を玉状又はドーナツ状に巻回して構成した金属線巻体を柔軟な網袋体にしたものも公知である（例えば特許文献２及び特許文献３参照）。
【０００５】
この先に提案した金属線たわしや上記の公報に提案されているは、金属線巻体が比較的バラけ難く、比較的初期の形態を維持することができ、使い勝手を損なわずに安定して使用できるようになった。
【０００６】
【特許文献１】
特許３１８８８６８１号
【特許文献２】
特開平６−２０９８８５公報
【特許文献３】
登録実用新案公報第３０１９８４６号
【０００７】
【発明が解決しようとする課題】
しかし、このような金属線たわし本体の外周部を拘束又は結束した構造のものでも、長期間使用していくにつれて如何してもバラけてきて初期の形状を保持できなくなり、使用勝手が悪くなる傾向がある。また、このような従来の構成のものは所謂不定形の形態となり易く、使用目的によっては使い難いことになる。そのような場合金属ブラシの使用が考えられるが、しかし金属ブラシでは被洗浄物の材質によっては瑕をつけたり破損させる恐れがあり、実際上使用できない。一方、合成樹脂や天然素材のたわしやブラシを使用すればそのような欠点は解消されるかも知れないが、反面、ぬめりやしつこい汚れなどを落とすには不向きである。
【０００８】
また、従来構造のものでは、使用中にはぎ落とされ金属線たわし本体に付着した屑が、しばしば、外周の網袋体や結束用の線状部材に挟まれて使用後簡単に洗い落とすことができず、見た目にも見苦しいだけでなく非衛生的であるという問題がある。また外周の網袋体や結束用の線状部材がカールされた金属線のもつ掻き落し機能を阻害したり、使用していくうち外周の網袋体や結束用の線状部材がその材質によっては破断することもある。
【０００９】
そこで、本発明は、このような問題点を解決して長く使用してもその形態を維持できしかもたわし本来の機能を維持し、使用後の洗浄も容易である使い勝手の優れた安価な金属線たわし及びその製造方法を提供することを目的としている。
【００１０】
【課題を解決するための手段】
上記の目的を達成するために、本発明の第１の発明によれば、カールされた金属線を円筒状に巻回して構成した中空円筒状金属線巻体の中央孔に撓み性支持線状部材を通してその両端を互いに締め合わせることにより玉状に束ねて成る金属線たわしが提供される。
【００１１】
撓み性支持線状部材には装飾部材又は掛け止め部材が取付けられ得る。これにより、見た目に美的感覚を醸し出したり使用しないときに適当な部位に掛けておくことができるようになる。
【００１２】
本発明の第２の発明によれば、カールされた金属線を円筒状に巻回して構成した中空円筒状金属線巻体と、一端が二股になった嵌合係止部を備えた柄部材とを有し、柄部材の一端のそれぞれの嵌合係止部を中空円筒状金属線巻体の中央孔の両端から挿入して中空円筒状金属線巻体を柄部材の一端のそれぞれの嵌合係止部に固定して成る金属線たわしが提供される。
【００１３】
第２の発明による金属線たわしにおいては、柄部材の先端の二股になった嵌合係止部に、中空円筒状金属線巻体を結束するための線状部材が組み込まれ、この線状部材により中空円筒状金属線巻体はそれの中央孔を介して柄部材の一端の嵌合係止部に固定され得る。
【００１４】
代りに、柄部材の一端の二股になった嵌合係止部がその先端に、相互に係合する係合部材を備え、中空円筒状金属線巻体の中央孔内で嵌合係止部の先端の係合部材を互いに係合させることにより中空円筒状金属線巻体をそれの中央孔を介して柄部材の一端の嵌合係止部に固定するようにされ得る。
【００１５】
本発明の第３の発明によれば、カールされた金属線を円筒状に巻回して構成した中空円筒状金属線巻体と、周囲に中空円筒状金属線巻体が縦長に装着される嵌合係止部を一端に備えた柄部材と、柄部材の一端の嵌合係止部の周囲に装着した中空円筒状金属線巻体を長手方向に沿って固定する固定部材とを有する金属線たわしが提供される。
【００１６】
本発明の第４の発明によれば、カールされた金属線を円筒状に巻回して構成した中空円筒状金属線巻体の両端を合わせて円環状に構成した本体と、一端が本体の中心孔に挿入され他端が本体の少なくとも頂部を覆うように構成した中空円筒状網体とを有し、本体の中心孔に挿入された中空円筒状網体の一端を撓み性支持線状部材で中空円筒状金属線巻体と共に緊締し、本体の上部表面上で中空円筒状網体の周囲から別の撓み性支持線状部材で締付けて成る金属線たわしが提供される。
【００１７】
本発明の第４の発明においては、中空円筒状網体の一端と中空円筒状金属線巻体とを緊締する撓み性支持線状部材により掛け止め部材が本体に取付けられ得る。
【００１８】
中空円筒状網体の一端と中空円筒状金属線巻体とを緊締する撓み性支持線状部材には装飾部材が取付けられ得る。代りに、装飾部材は掛け止め部材に取付けられ得る。
【００１９】
掛け止め部材は装飾部材を構成し得る。また、掛け止め部材は少なくとも一本の紐から成り得る。
【００２０】
本発明の第５の発明によれば、カールされた金属線を円筒状に巻回して所定の長さの中空円筒状金属線巻体を形成し、この中空円筒状金属線巻体の中央孔に撓み性支持線状部材を通し、撓み性支持線状部材の両端を互いに締め合わせることにより中空円筒状金属線巻体を玉状に束ねることから成る金属線たわしの製造法が提供される。
【００２１】
本発明の第６の発明によれば、カールされた金属線を円筒状に巻回して所定の長さの中空円筒状金属線巻体を形成し、この中空円筒状金属線巻体の中央孔に撓み性支持線状部材を通し、中空円筒状金属線巻体の両端を合わせて円環状に構成し、円環状に構成した金属線巻体の中心孔に中空円筒状網体の一端を挿入し、撓み性支持線状部材の両端を互いに締め合わせることにより中空円筒状金属線巻体を玉状に束ね、中空円筒状網体の他端を円環状に構成した金属線巻体の少なくとも頂部を覆って金属線巻体の表面に沿ってのばし、金属線巻体の上部表面上で中空円筒状網体の周囲から別の撓み性支持線状部材で締付けることから成る金属線たわしの製造法が提供される。
【００２２】
【発明の実施の形態】
以下添付図面に示す実施例に基づき本発明の実施の形態について説明する。
図１〜図３には本発明の一実施の形態による金属線たわしを示し、図示した金属線たわしは偏平玉状金属線巻体１から成り、この巻体１は、圧延、カールされたステンレス鋼からなる金属線２を図２に示すように円筒状に巻回して所定の長さの中空円筒状金属線巻体３を形成し、この中空円筒状金属線巻体３の中央孔３ａに撓み性支持線状部材を成す支持用金属線４を通し、そして図３に示すようにこの支持用金属線４の両端を互いに締め合わせることにより中空円筒状金属線巻体３を玉状又はドーナツ状に束ねることにより構成される。この場合、支持用金属線４としては、偏平玉状金属線巻体１を構成している金属線２と同じ材質（すなわち図示実施例の場合にはステンレス鋼線）、紐、プラスチック性の帯材などを使用することができる。さらに、図示実施の形態では支持用金属線４には装飾用のリボン５が取付けられている。
【００２３】
このように構成した図示金属線たわしにおいては、円筒状に巻回して所定の長さに形成した中空円筒状金属線巻体３の中央孔３ａに支持用金属線４を通し、中空円筒状金属線巻体３をその中央孔３ａ内で支持用金属線４で束ねているので、比較的安価に製造できしかも長期間にわたって使用してもばらけることがなく、また、たわしの外表面が支持用金属線４で拘束されないため、使用中に付着した屑やごみを比較的容易に洗い落とすことができ、常に清潔に保つことができる。
【００２４】
図４には本発明の変形の実施の形態を示し、この場合には支持用金属線４には吊下げ用の紐６が取付けられている。この紐６は図１〜図３に示す実施の形態の場合と同様に中空円筒状金属線巻体の中央孔内に通される支持用金属線に取付けられている。代りに図４に示す変形の実施の形態では吊下げ用の紐６は支持用金属線４の端部をループ状に外側に突出させて構成することもできる。その他の構成は図１〜図３に示す実施の形態の場合と実質的に同じである。
【００２５】
このように構成した図示金属線たわしにおいては、吊下げ用の紐６を設けたことにより、使用していない時に適当な位置に吊下げることができ、片付け及び清潔の両面で有用である。
【００２６】
図５には柄付き金属たわしとして実施した本発明の別の実施の形態を示している。この場合には図示したように例えば適当なプラスチック材料から成る柄部材７の一端に二股になった嵌合係止部７ａ、７ｂが設けられ、一方の嵌合係止部７ａから他方の嵌合係止部７ｂへのびる支持用金属線４の自由端を、図２に示すものと同様に構成した中空円筒状金属線巻体の中央孔の一端から通し、柄部材７の一端の嵌合係止部７ａ、７ｂが中空円筒状金属線巻体の中央孔の両端から中央孔内へ入り込むようにして支持用金属線４の自由端を柄部材７の一端の他方の嵌合係止部７ｂの孔７ｃに通し、そして柄部材７の首部に設けた嵌合係止孔７ｄに通して締めつけて固定することに構成されている。
【００２７】
このように構成した図示柄付き金属線たわしにおいては、上記各実施の形態による作用に加えて、柄部材７の一端の二股になった嵌合係止部７ａ、７が中空円筒状金属線巻体の中央孔内へ部分的にのびているので、たわし本体と柄部材とが一体的に保持されることになり、使用勝手が良好でしかも形くずれせずに初期の形態を維持することができる。
【００２８】
図６には図５に示す柄部材の変形例を示し、この例では支持用金属線４を使用せず、柄部材７の一端の二股になった嵌合係止部７ａ、７ｂの先端にスナップ嵌合体７ｅを設け、中空円筒状金属線巻体の中央孔内で互いに押嵌めることにより柄部材７に金属線巻体１を固定するように構成されている。この場合には、支持用金属線４を使用しないため、部品数が少なくなり、より安価に製造することができる。
【００２９】
図７には図５に示す柄部材の別の変形例を示し、この例では柄部材７の一端の二股になった嵌合係止部７ａ、７ｂの中間に突起７ｆが設けられており、この突起７ｆを抱き込むように金属線巻体１を固定することにより、たわし本体と柄部材７とがよりしっかりと一体に保持されることになる。
【００３０】
図８〜図１０には本発明の別の実施の形態を示し、図示した柄付き金属線たわしは、カールされた金属線を円筒状に巻回して構成した四つの中空円筒状金属線巻体１１（たわし本体を構成している）を柄部材１２の一端に固定部材１３によって固定して縦長型に構成されている。各中空円筒状金属線巻体１１は図２に示すものと同様に圧延、カールされたステンレス鋼からなる金属線を円筒状に巻回して所定の長さに構成されている。柄部材１２は図１０に示すように先端に、横断面が四角形の嵌合係止部１２ａを備えている。嵌合係止部１２ａの各辺は凹面状を成し、この凹面で中空円筒状金属線巻体１１を受けるようにされている。柄部材１２の先端面には固定部材１３を構成している４本の金属線１４が固定されている。各金属線１４の自由端は、柄部材１２の嵌合係止部１２ａの各辺に装着されるそれぞれの中空円筒状金属線巻体１１上を長手方向に沿ってのび、そして柄部材１２の嵌合係止部１２ａの下端に設けた係止孔１２ｂを通って他の金属線１４の自由端と互いに緊締される。これにより各金属線１４は組合さった中空円筒状金属線巻体１１を柄部材１２の嵌合係止部１２ａの各辺に押圧保持する。
【００３１】
図１１には、図８〜図１０の実施の形態におけるたわし本体の変形例を示し、この場合にはたわし本体はカールされた金属線を円筒状に巻回して構成した一つの中空円筒状金属線巻体１５で構成され、この中空円筒状金属線巻体１５は伸張した状態で二つ以上に屈曲され、図１０に示すような柄部材又は他の適当な柄部材の先端に設けた長手方向の伸びる嵌合係止部に装着される。
【００３２】
図１２は図１１に示す中空円筒状金属線巻体１５を用いた金属たわしの一例を示している。この例では図１３に示すような柄部材１６が使用され、柄部材１６の先端の嵌合係止部１６ａにはらせん状の溝１６ｂが設けられている。中空円筒状金属線巻体１５はこのらせん状の溝１６ｂに沿って伸張させながららせん状に巻かれ、そして中空円筒状金属線巻体１５の中央孔に通された金属線（図示していない）の両端を嵌合係止部１６ａの先端及び下方端に適当に固定することにより組立てられる。
【００３３】
また図８〜図１０に示す実施の形態においては、４本の中空円筒状金属線巻体を使用しているが、柄部材の先端の嵌合係止部の形態（例えば断面形状が長方形又は三角形）に合わせて、２本又は３本の中空円筒状金属線巻体を使用することができる。また柄部材についても、金属、木材、合成樹脂製など適宜使用することができる。
【００３４】
さらに、中空円筒状金属線巻体を柄部材の先端の嵌合係止部に固定する固定部材としては、金属又はプラスチック線状体又はストリップ状体でもよく、また簡易係合式の止め具を使用することもできる。また、固定部材はその基端を柄部材の嵌合係止部と一体に構成し、自由端を柄部材にスナップ嵌めするように構成することもできる。
【００３５】
図１４及び図１５には本発明のさらに別の実施の形態による金属線たわしを示し、図示した柄付き金属線たわしにおいては、カールされた金属線を円筒状に巻回して構成した中空円筒状金属線巻体の両端を合わせて円環状に構成してたわし本体２１を形成している。中空円筒状金属線巻体は図２に示すものと同様に圧延、カールされたステンレス鋼からなる金属線を円筒状に巻回して所定の長さに構成されている。２２は中空円筒状網体であり、この中空円筒状網体２２は中間部位２２ａで折り返され二重にされている。中空円筒状網体２２の一端２２ｂは図１５に示すように円環状に構成してたわし本体２１の中心孔２１ａに差し込まれ、さらにこの中心孔２１ａには掛け止め部材を成す紐２３がループ状にして差し込まれ、そして中空円筒状網体２２の一端２２ｂ及びループ状の紐２３は中空円筒状金属線巻体と共に撓み性支持線状部材２４により互いに緊締されている。中空円筒状網体２２は本体の頂部から底部へ向かって本体２１の外表面に沿ってのび、本体２１の上部表面上で別の撓み性支持線状部材２５によって締め付けられ、それによりたわし本体２１は瓢箪型に整形される。そして中空円筒状網体２２の折り返された中間部位２２ａすなわち他端はフレアー状に配列される。ところで図１４及び図１５に示す実施の形態において、撓み性支持線状部材２４及び別の撓み性支持線状部材２５は例えば金属線、合成樹脂材料製の帯部材など適当な緊締部材から成ることができる。
【００３６】
図１６には図１４及び図１５の実施の形態におけるたわしの変形例を示し、この場合にはループ状紐２３は複数本設けられ、各ループ状紐２３は異なる長さ及び色をもち、装飾部材としても機能している。その他の構成は図１４及び図１５の実施の形態の場合と同様である。
【００３７】
図１７には図１４及び図１５の実施の形態におけるたわしのさらに別の変形例を示し、この場合にはループ状紐２３には装飾部材２６が装着されている。その他の構成は図１４及び図１５の実施の形態の場合と同様である。
また装飾部材２６としては図示したような鳥の他、乗り物、花、幾何学的な模様など任意適当なものを用いることができる。
【００３８】
図１４〜図１７に示す各実施の形態においては、中空円筒状網体２２の折り返された中間部位２２ａは自由端としてフレアー状に配列されているが、代わりに、堤燈ブルマー状に別の撓み性支持線状部材２５の部位で終端するように構成してもよい。
【００３９】
また、図１４〜図１７に示す各実施の形態において、撓み性支持線状部材２４の緊締位置より上方位置で別の撓み性支持線状部材２５を緊締するように構成した場合には、撓み性支持線状部材２４による緊締は中空円筒状網体２２の一端２２ｂ及びループ状の紐２３のみに対して行うようにすることもできる。
【００４０】
各図示実施の形態では、金属線巻体は圧延、カールされたステンレス鋼線で構成されているが、代わりに線材として銅や亜鉛、スズなど他の適当な金属材料を使用することもできる。
【００４１】
【発明の効果】
以上説明してきたように、本発明の第１の発明による金属線たわしにおいては、カールされた金属線を円筒状に巻回して構成した中空円筒状金属線巻体の中央孔に撓み性支持線状部材を通してその両端を互いに締め合わせることにより玉状に束ねて構成しているので、たわしの外表面が拘束されていないため、使用中に付着した屑やごみを比較的容易に洗い落とすことができ、常に清潔に保つことができる。また構造が非常に簡単であるため安価に提供することができるようになる。
【００４２】
本発明の第２の発明による金属線たわしにおいては、カールされた金属線を円筒状に巻回して構成した中空円筒状金属線巻体と、一端が二股になった嵌合係止部を備えた柄部材とを有し、柄部材の一端のそれぞれの嵌合係止部を中空円筒状金属線巻体の中央孔の両端から挿入して中空円筒状金属線巻体を柄部材の一端のそれぞれの嵌合係止部に固定しているので、たわし本体に直接手を触れずに使用することができ、使用勝手に優れ、使用後の洗浄が容易でしかも形くずれせずに初期の形態を維持することができるようになる。
【００４３】
本発明の第３の発明による金属線たわしにおいては、カールされた金属線を円筒状に巻回して構成した中空円筒状金属線巻体と、周囲に中空円筒状金属線巻体が縦長に装着される嵌合係止部を一端に備えた柄部材と、柄部材の一端の嵌合係止部の周囲に装着した中空円筒状金属線巻体を長手方向に沿って固定する固定部材とを有しているので、縦長で腰の強いたわしを提供することができ、従来の金属ブラシでは瑕つき易い部位や狭くて細長い部位（例えば流しやお風呂の排水口、排水溝或いはトイレ）のぬめりや汚れ取り、自動車のホイールの汚れ落しに手を汚さずしかも瑕をつけることなく作業することができる。
【００４４】
また、柄付き金属線たわしとして実施した場合には、使用者の手肌、マニキュアを保護することができる。
【００４５】
本発明の第４の発明による金属線たわしにおいては、カールされた金属線を円筒状に巻回して構成した中空円筒状金属線巻体の両端を合わせて円環状に構成した本体と、一端が本体の中心孔に挿入され他端が本体の少なくとも頂部を覆うように構成した中空円筒状網体とを有し、本体の中心孔に挿入された中空円筒状網体の一端を撓み性支持線状部材で中空円筒状金属線巻体と共に緊締し、本体の上部表面上で中空円筒状網体の周囲から別の撓み性支持線状部材で締付けて構成したことにより、視覚上の美的感覚を与えると共に使用時には中空円筒状網体で覆われた上部を把持して金属線巻体に直接触れることなく使用でき、長く使用していても金属線巻体のばらけがなく長期間安定して綺麗に使用することができるようになる。
【００４６】
本発明の第５の発明の金属線たわしの製造法によれば、カールされた金属線を円筒状に巻回して所定の長さの中空円筒状金属線巻体を形成し、この中空円筒状金属線巻体の中央孔に撓み性支持線状部材を通し、撓み性支持線状部材の両端を互いに締め合わせることにより中空円筒状金属線巻体を玉状に束ねることから成っているので、従来の方法に比べて、製造工程を簡素化でき、従って製造コストを大幅に低減することができる。
【００４７】
本発明の第６の発明の金属線たわしの製造法によれば、カールされた金属線を円筒状に巻回して所定の長さの中空円筒状金属線巻体を形成し、この中空円筒状金属線巻体の中央孔に撓み性支持線状部材を通し、中空円筒状金属線巻体の両端を合わせて円環状に構成し、円環状に構成した金属線巻体の中心孔に中空円筒状網体の一端を挿入し、撓み性支持線状部材の両端を互いに締め合わせることにより中空円筒状金属線巻体を玉状に束ね、中空円筒状網体の他端を円環状に構成した金属線巻体の少なくとも頂部を覆って金属線巻体の表面に沿ってのばし、金属線巻体の上部表面上で中空円筒状網体の周囲から別の撓み性支持線状部材で締付けることから成るので、製造工程の簡素化による製造コストを大幅に低減は勿論のこと、視覚的に美しく使い勝手に優れた金属線たわしを提供することができる。
【図面の簡単な説明】
【図１】本発明による金属線たわしの一実施の形態を示す概略斜視図。
【図２】図１に示す金属線たわしを構成する中空円筒状金属線巻体及び支持用金属線を示す概略斜視図。
【図３】図１に示す金属線たわしの要部の構造を示す概略断面図。
【図４】図１に示す金属線たわしの変形例を示す概略斜視図。
【図５】本発明による金属線たわしの別の実施の形態を示す概略部分断面斜視図。
【図６】図５に示す金属線たわしにおける柄部材の変形例を示す概略部分断面斜視図。
【図７】図５に示す金属線たわしにおける柄部材の別の変形例を示す概略部分断面斜視図。
【図８】本発明による金属線たわしの別の実施の形態を示す概略斜視図。
【図９】図８に示す金属線たわしの端面図。
【図１０】図８に示す金属線たわしの柄部材の構造を示す概略斜視図。
【図１１】図８に示す金属線たわしにおけるたわし本体を構成する中空円筒状金属線巻体の変形例を示す概略斜視図。
【図１２】本発明による金属線たわしの別の実施の形態を示す概略斜視図。
【図１３】図１２に示す金属線たわしにおける柄部材の構造を示す概略斜視図。
【図１４】本発明による金属線たわしの別の実施の形態を示す概略斜視図。
【図１５】図１４に示す金属線たわしの要部の構造を示す概略断面図。
【図１６】図１４に示す金属線たわしの変形例を示す概略斜視図。
【図１７】図１４に示す金属線たわしのさらに別の変形例を示す概略斜視図。
【符号の説明】
１　：偏平玉状金属線巻体
２　：カールされた金属線
３　：中空円筒状金属線巻体
３ａ：中空円筒状金属線巻体３の中央孔
４　：支持用金属線
５　：装飾用のリボン
６　：吊下げ用の紐
７　：柄部材
７ａ：柄部材の嵌合係止部
７ｂ：柄部材の嵌合係止部
１１：中空円筒状金属線巻体
１２：柄部材
１２ａ：嵌合係止部
１２ｂ：係止孔
１３：固定部材
１４：金属線
１５：中空円筒状金属線巻体
１６：柄部材
１６ａ：嵌合係止部
１６ｂ：らせん状の溝
２１：たわし本体
２１ａ：たわし本体２１の中心孔
２２：中空円筒状網体
２２ａ：中空円筒状網体２２の中間部位
２２ｂ：中空円筒状網体２２の一端
２３：紐
２４：撓み性支持線状部材
２５：別の撓み性支持線状部材
２６：装飾部材
【図１】
2004000539.tif 000003
【図２】
2004000539.tif 000004
【図３】
2004000539.tif 000005
【図４】
2004000539.tif 000006
【図５】
2004000539.tif 000007
【図６】
2004000539.tif 000008
【図７】
2004000539.tif 000009
【図８】
2004000539.tif 000010
【図９】
2004000539.tif 000011
【図１０】
2004000539.tif 000012
【図１１】
2004000539.tif 000013
【図１２】
2004000539.tif 000014
【図１３】
2004000539.tif 000015
【図１４】
2004000539.tif 000016
【図１５】
2004000539.tif 000017
【図１６】
2004000539.tif 000018
【図１７】
2004000539.tif 000019